(57)【特許請求の範囲】
【請求項１】
発電手段と、当該発電手段から電力を蓄電する蓄電手段と、前記発電手段と前記蓄電手段との間に設けられたスイッチ手段と、発振回路を含むパルス作成回路と、時刻を表示する指針と、当該指針を駆動するモータとを有する電子時計において、前記蓄電手段の電圧を検出する電圧検出手段と前記モータの回転を検出する回転検出手段を設け、前記電圧検出手段の出力に基く信号および前記回転検出手段の出力に基く信号のいずれに対しても前記スイッチ手段が前記発電手段と前記蓄電手段との接続を遮断することを特徴とする電子時計。
【請求項２】
さらに前記スイッチ手段を介することなく前記発電手段から電力を蓄電する、前記蓄電手段より蓄電容量の小さい小容量蓄電手段を有し、前記スイッチ手段が前記発電手段と前記蓄電手段との接続を遮断した場合、少なくとも前記発振回路の発振が停止するまで前記小容量蓄電手段の蓄電電力を強制的に放電することを特徴とする請求項１に記載の電子時計。
【発明の詳細な説明】
【０００１】
【発明の属する技術分野】
本発明は発電手段を備えた電子時計に関する。
【０００２】
【従来の技術】
従来から発電手段を備えた電子時計が製品化されている。この電子時計は太陽光や使用者の腕の動きを電力に変換し、時計に内蔵された２次電池等の蓄電手段に電力を蓄えて時計を駆動するため、電池交換が不要な時計として最近特に注目を集めている。
【０００３】
また発電手段からの発電電力供給が所定時間連続して中断されると時刻の表示を中断する所謂パワーセーブ機能や、２次電池の電圧が所定値より低下すると時計としての消費電力をゼロにして、２次電池の蓄電量をそれ以上低下させないように工夫された所謂スリープ機能を搭載した電子時計も開発されている。これらの機能は前述のような時計において２次電池の無駄な消費電力を削減できるため大変有効な機能である。
【０００４】
【発明が解決しようとする課題】
一方古くから指針式の電子時計においては負荷補償機能と呼ばれる機能が搭載されている。この機能は所定の駆動パルスでモータを駆動できたか否かを確認し、駆動されていない場合は駆動力の充分大きな駆動パルス（フォローパルス）を出力して確実にモータを駆動すると共に、モータの駆動の有無に基づき駆動パルスの駆動力を変更することによって消費電力の削減を目的とした機能である。この負荷補償機能も発電機能付きの電子時計においては一般的に搭載されている。
【０００５】
ところで上述のように従来の発電機能付電子時計においては２次電池の電圧を検出してスリープ機能に入るものが一般的である。しかしながら周囲の環境（低温時）などにより２次電池の電圧値が充分でもモータが回転できなくなる場合がある。このような場合上記のような負荷補償機能を備えた電子時計では、用意された最大の駆動パルスで運針できず消費電力の大きいフォローパルスのみで長時間運針される状態となってしまい、２次電池の蓄電量が大幅に減少してしまう。
【０００６】
本発明は上記問題点を解決し、２次電池の無駄な消費電力を削減できる時計を提供する事を目的とする。
【０００７】
【課題を解決するための手段】
前記目的を達成するために本発明は、発電手段と、当該発電手段から電力を蓄電する蓄電手段と、前記発電手段と前記蓄電手段との間に設けられたスイッチ手段と、発振回路を含むパルス作成回路と、時刻を表示する指針と、当該指針を駆動するモータとを有する電子時計において、前記蓄電手段の電圧を検出する電圧検出手段と前記モータの回転を検出する回転検出手段を設け、前記電圧検出手段の出力に基く信号および前記回転検出手段の出力に基く信号のいずれに対しても前記スイッチ手段が前記発電手段と前記蓄電手段との接続を遮断することを特徴とする。
【０００８】
また、前記スイッチ手段を介することなく前記発電手段から電力を蓄電する、前記蓄電
手段より蓄電容量の小さい小容量蓄電手段を有し、前記スイッチ手段が前記発電手段と前記蓄電手段との接続を遮断した場合、少なくとも前記発振回路の発振が停止するまで前記小容量蓄電手段の蓄電電力を強制的に放電することを特徴とする。
【０００９】
【発明の実施の形態】
以下本発明に係る電子時計の実施形態について説明する。図１は本実施形態の回路ブロック図である。本実施形態では指針８が時分針のみで構成され、通常時は２０秒毎に運針されているものとする。
【００１０】
図１において、１は太陽電池などの発電手段、２は第１蓄電手段としての２次電池など容量の大きい蓄電池、３は第２蓄電手段（小容量蓄電手段）としての蓄電池２より容量の小さい小容量コンデンサ、４は逆流防止用のダイオードである。なお以下の説明においては、小容量コンデンサ３の出力する電圧をＶｓｓ１、蓄電池２の出力する電圧をＶｓｓ２と定義する。また本実施形態では接地電位が正電位であり、Ｖｓｓ１、Ｖｓｓ２は負電位であるが、以下の説明においては簡単のため絶対値で表記する。
【００１１】
５は水晶振動子５ａを元に基準信号を出力する発振回路を内蔵し、様様なパルスを出力するパルス作成回路、６は後述する指針駆動用のモータを駆動するモータ駆動信号作成回路、７はモータ、８は指針である。９はモータの回転を検出しその検出結果を出力する回転検出回路、１０は回転検出回路が非回転検出信号を出力するとカウントアップし、回転検出信号を出力するとリセットされる非回転計数カウンタであり、本実施形態では３進カウンタとする。
なおモータ駆動信号作成回路６は回転検出回路９の非回転検出信号によりモータ７に駆動力の大きなフォローパルスを出力すると共に、回転検出信号によりモータ７へ出力する駆動パルスの駆動力を切り換える。また後述する各構成の制御により、運針形態の異なる複数のパルスを出力する。
【００１２】
１１は充電制御回路であり、後述するスイッチ手段１３を間欠的にオン状態とする。充電制御回路１１は初期リセット後のみ動作状態となり、後述する電圧検出回路Ａ１４の検出信号により動作を制御される。１２は発振検出回路であり、パルス作成回路５内の発振回路が発振停止状態から発振を開始すると、ワンショットのリセット信号を点線で囲まれた回路に対して出力する。
【００１３】
１３はスイッチ回路であり、発電手段１と蓄電池２の間に設けられ、これらの接続及び遮断を行う。スイッチ回路１３は後述するアンドゲート１７により制御され“Ｈ”レベルを入力しているときは開放（オフ）し、“Ｌ”レベルを入力しているときは閉じる（オンする）。１４は電圧検出回路Ａであり間欠的に駆動され蓄電池２の電圧が１．１５Ｖ以下になると“Ｈ”レベルの信号を出力する。電圧検出回路Ａ１４は上記電圧を検出するとその検出信号を維持した状態で動作を停止し、後述する初期リセット信号により再び動作を開始するよう構成されている。電圧検出回路Ａ１４の詳細な構成は後で説明する。
１５は電圧検出回路Ｂであり、間欠的に駆動され蓄電池２の電圧が１．２５Ｖ以上になると“Ｈ”レベルの信号を出力する。電圧検出回路Ｂ１５は電圧検出回路Ａ１４の出力により動作を停止し、後述する初期リセット信号により再び動作を開始するよう構成されている。電圧検出回路Ｂ１５の詳細な構成は後で説明する。
１９は発振停止記憶回路であり、発振検出回路１２の出力によりセットされ、発振回路が停止したことを記憶する。
１６はオアゲート、１７、２０はアンドゲート、１８はインバータである。
２１は外部スイッチ操作検出回路であり、図示しない外部操作部材を操作されると“Ｈ”レベルの信号を出力する。
【００１４】
続いて本発明の実施形態の動作について図２のタイムチャートを用いて説明する。まず蓄電池２の電圧が１．２５Ｖ以上の状態から説明する。この時点では電圧検出回路Ａ１４は“Ｌ”レベル、電圧検出回路Ｂ１５は“Ｈ”レベルの信号を出力している。その他の回路は特に説明がない場合は“Ｌ”レベルの信号を出力している。よってスイッチ回路１３は閉じられた状態となっている。
【００１５】
パルス作成回路５は内蔵する発振回路からの基準信号に基づき、モータ駆動信号作成回路６にパルスを出力する。モータ駆動信号作成回路６は２０秒ごとに１発の駆動パルスを出力しモータ７は回転する。この回転力は図示しない減速輪列を介して指針８に伝えられ指針８は時刻を刻む。ここで使用者が図示しない外部修正部材を介して指針を修正して現在時刻に一致させればそれ以降所定間隔で指針８は駆動され、時計は現在時刻を維持しつづける事となる。
【００１６】
モータ７が回転しなかった場合は回転検出回路９が非回転検出信号をモータ駆動信号作成回路６及び非回転計数カウンタ１０に出力する。モータ駆動信号作成回路６はこの信号を受けて駆動力の充分大きいフォローパルスを出力すると共に、次のタイミングでの駆動パルスの駆動力を１ランク大きくする。また非回転計数カウンタ１０はカウントアップされる。蓄電池２の電圧値に大きな変動がない場合、モータ７は次のタイミングの駆動パルスで回転するため回転検出回路９は回転検出信号を出力し、非回転計数カウンタ１０はリセットされる。
【００１７】
ここで発電手段１の発電量が低下し蓄電池２への電力供給が時計の消費電力より少なくなると、蓄電池２の電圧値は徐々に低下してくる。そして電圧値が１．２５Ｖを下回ると、電圧検出回路Ｂ１５の出力は“Ｌ”レベルとなり（図２、Ｔ１のタイミング）モータ駆動信号作成回路６は１分間に１度３発まとめて駆動パルスを出力する。したがって指針８は通常時と異なり、一分毎にしか動作せず、使用者は電源の電圧が低下した事を認識できる。続いて電圧値が１．１５Ｖ以下になると電圧検出回路Ａ１４は“Ｈ”レベルの信号を出力する（図２、Ｔ２のタイミング）。従ってアンドゲート１７は“Ｈ”レベルの信号を出力し、スイッチ回路１３は開放状態となる。この時電圧検出回路Ａ１４は即動作を停止するがその検出信号は“Ｈ”レベルのまま維持される。また電圧検出回路Ｂ１５も動作を停止する。モータ駆動信号作成回路６はこの信号を受けて通常時よりも周期の短い駆動パルスをモータ７に出力する。前述のようにスイッチ回路１３は既に開放されているため、モータ駆動信号作成回路６やモータ７で消費される電力は全て小容量コンデンサ３に蓄電されたもので補われる。小容量コンデンサ３は容量が少ないため、すぐに電力を使い果たす。よってパルス作成回路５に内蔵された発振回路は発振を停止し、その結果各回路は全て停止状態となる（図２、Ｔ３のタイミング）。従って蓄電池２の電力は全く消費されずわずかな自己放電以外に蓄電電力が減少してしまうことはない。
【００１８】
続いてこの状態で発電手段１が発電を開始すると、小容量コンデンサ３に蓄電され、パルス作成回路５内の発振回路も動作を開始し、発振検出回路１２が各回路を短時間リセットする。よって発振停止記憶回路１９はセットされ“Ｈ”レベルの信号を出力する（図２、Ｔ４のタイミング）。よって充電制御回路１１はリセット後のため動作状態となり、充電制御信号を出力する。この信号は例えば０．５秒おきに“Ｈ”レベルと“Ｌ”レベルが繰り返される信号であり、アンドゲート１７を介してスイッチ回路１３をオン・オフ制御する。従ってスイッチ回路１３がオンされる期間において蓄電池２は蓄電される。さて、このように間欠的に蓄電される理由であるが、蓄電値２の容量が小容量コンデンサ３の容量に比べて大きいため、常時オン状態とすると、小容量コンデンサ３の蓄電電力が低下してしまい、発電手段１の発電がわずかな間中断されてもすぐに発振回路の発振が停止してしまう可能性があるからである。
【００１９】
蓄電池２に電荷が蓄積され、その電圧が１．１５Ｖを超えると電圧検出回路Ａ１４の出力は“Ｌ”レベルに切り換わる（図２、Ｔ５のタイミング）。よって充電制御回路１１は動作を停止し、その出力は“Ｌ”レベルに固定される。一方オアゲート１６の出力も“Ｌ”レベルに切り換わるため、アンドゲート１７を介してスイッチ回路１３に“Ｌ”レベルの信号が出力され、スイッチ回路１３は閉じられる。しかしこの時点では、発振停止記憶回路１９の出力が“Ｈ”レベルであるため、モータ駆動信号作成回路６は駆動パルスを出力しない。従って指針８は停止したままである。
【００２０】
さらに蓄電池２の蓄電が進み電圧値が１．２５Ｖ以上になると、電圧検出回路Ｂ１５は“Ｈ”レベルの信号を出力する（図２、Ｔ６のタイミング）。しかし発振停止記憶回路１９の出力が“Ｈ”レベルであるためモータ駆動信号作成回路６は図２に示すようなパルスを一分毎に出力する。このパルスは図２のＴ１〜Ｔ２区間のパルスとは異なり、一発目と二発目の幅が広く構成されている。よって使用者は時計が一旦停止したことを認識できる。ここで使用者が図示しない外部操作部材を用いて時刻を修正すると、外部スイッチ操作検出手段２１は“Ｈ”レベルの信号を出力し、発振停止記憶回路１９はリセットされる（図２、Ｔ７のタイミング）。従ってモータ駆動信号作成回路６は動作状態となりモータ７へ駆動パルスを出力する。よって指針８は通常の２０秒運針を開始する。
【００２１】
以上のように本実施形態では蓄電池２の電圧低下で即全回路が停止するため、蓄電池２の蓄電電力を無駄に浪費することなく維持することが可能となる。ここで、図２のＴ２のタイミング、すなわち電圧検出回路Ａ１４の出力が“Ｈ”レベルとなった時点で、モータ７を早送りして小容量コンデンサ３の蓄電電力を即放電する理由及び電圧検出回路Ａ１４を即停止させる理由について説明する。
本実施形態のようなシステムでは、蓄電池２の電力を維持することを目的としているが、あまりに高い電圧で維持すると、発電電力が減少してすぐに時計が停止するシステムとなりかねない。そこで電圧検出回路Ａ１４の検出電圧値はなるべくモータ７が最低限駆動可能な電圧近辺に設定する事が最適である。しかし設定値が低いと当然回路全体の駆動も不安定になってしまう。そこでまず電圧検出回路Ａ１４が検出電圧を出力すると、電圧検出回路Ａ１４そのものの動作を完全に停止させ、誤動作等の起きないようにする。続いてその他の回路の誤動作を防止するため小容量コンデンサ３の蓄電電力を即座に放電し、電力供給を遮断することで回路の心臓部である発振回路を停止させ全回路の動作を停止するわけである。
ここで同様の効果を得るための他の方法として電圧検出回路Ａ１４が検出されると、即小容量コンデンサ３を短絡させる方法や、小容量コンデンサ３と各回路との間を遮断する方法があるがいずれも素子を追加する必要がある。それに対して本実施形態のシステムでは既存の素子を用いて構成することが可能となる。
【００２２】
続いて蓄電池２の電圧が１．１５Ｖ以下となる前に非回転計数カウンタ１０がカウントアップした場合について説明する。
発電手段１の電力が減少して蓄電池２の電圧値が低下するとモータ駆動信号作成回路６が出力される駆動パルスの駆動力も低下する（同一パルス幅の場合）。よってモータ駆動信号作成回路６の有する最大駆動力パルスでも駆動できず連続してモータ７の非回転が回転検出回路９で検出される。この連続値が３となると非回転計数カウンタ１０は“Ｈ”レベルの信号を出力し、オアゲート１６は“Ｈ”レベルの信号を出力する。以下の動作は電圧検出回路Ａ１４が検出信号を出力した場合と同様である。
【００２３】
以上のように本実施形態では電圧検出回路のみならずモータの非回転数に応じて制御するため、実質的な蓄電池の蓄電電力に基づき時計の各回路を停止状態とすることができ、より有効なスリープ機能を提示できる。
【００２４】
続いて電圧検出回路Ａ１４の詳細な構成を説明する。図３は電圧検出回路Ａ１４を表す回路ブロック図である。１０１はコンパレータであり、プラス端子に後述する基準電圧、マイナス端子に後述する蓄電池２の分圧電圧を入力し、両電位の電位差を比較しその結果を出力する。１０２は基準電圧を作成する基準電圧作成回路であり、コンパレータ１０１の比較基準電位となる基準電圧を作成する。１０３、１０４は抵抗素子であり、蓄電池２の電圧値を分圧する。なお本実施形態では蓄電池２の電圧Ｖｓｓ２が１．１５Ｖ以下となるとコンパレータ１０１が“Ｈ”レベルの信号を出力するように各素子の値が設定されている。１０５はスイッチ素子であり、パルス作成回路５からのサンプリング信号に基づきコンパレータ１０１等を間欠的に動作させる。１０６はセット付データタイプフリップフロップ（以下ＳＤＦＦ）であり、データ端子にコンパレータ１０１からの比較結果を入力し、アンドゲート１０８を介して入力されるサンプリング信号の立下りタイミングでデータ端子の信号を読み込み出力する。また発振検出回路１２の出力をセット端子に入力し、初期リセット後は“Ｈ”レベルの信号を出力するように構成されている。１０７はリセット付データタイプフリップフロップ（以下ＲＤＦＦ）であり、データ端子は“Ｈ”レベルに接続され、ＳＤＦＦ１０６の出力信号の立下りタイミングでデータ端子の信号を読み込み出力する。また発振検出回路１２の出力をリセット端子に入力し、初期リセット後は“Ｌ”レベルの信号を出力するように構成されている。出力信号はアンドゲート１０８、１０９に入力され、前述のサンプリング信号の通過を制御する。つまりＲＤＦＦ１０７の出力が“Ｈ”レベルのときはスイッチ素子１０５がオフとなり電圧検出回路Ａ１４は動作を停止する。なお１１０、１１１はインバータである。
【００２５】
続いて電圧検出回路Ａ１４の動作について説明する。まず初期リセット時から説明する。発振検出回路１２からのリセット信号を入力するとＳＤＦＦ１０６はセットされ“Ｈ”レベルの信号を、ＲＤＦＦ１０７はリセットされ“Ｌ”レベルの信号を出力する。またパルス作成回路５からのサンプリング信号によりコンパレータ１０１、基準電圧回路１０２は間欠的に動作する。また同時にアンドゲート１０８にもパルス信号が入力されコンパレータ１０１の比較結果をＳＤＦＦ１０６が電圧検出信号として出力する。なおアンドゲート１０８に入力されるサンプリング信号とアンドゲート１０９に入力されるサンプリング信号は同時に出力され、その出力期間は前者の方が短くなるように設計されている。よってＳＤＦＦ１０６の読み込みタイミングではコンパレータ１０１の比較信号が必ず出力されており確実な電圧検出を行うことができる。
【００２６】
さて、初期リセット直後はＶｓｓ２は１．１５Ｖ以下なので、コンパレータ１０１は“Ｈ”レベルの信号を出力している。よってＳＤＦＦ１０６の出力に変化はなく電圧検出回路Ａ１４の出力及びその動作にも何ら変化はない。続いてＶｓｓ２の電圧が上昇して１．１５Ｖを超えると、コンパレータ１０１の出力は“Ｌ”となりＳＤＦＦ１０６の出力も“Ｌ”レベルに切り換わる。つまり電圧検出回路Ａ１４の出力が“Ｌ”レベルとなる。この時ＲＤＦＦ１０７のΦ端子には立ち上がりの信号が入力されるためその出力は変化しない。よってインバータ１１０の出力は“Ｈ”レベルで維持されるためサンプリング信号はアンドゲート１０８、１０９を通過し電圧検出回路Ａ１４は動作を継続することになる。
【００２７】
次にＶｓｓ２が低下して１．１５Ｖになるとコンパレータ１０１の出力は“Ｈ”レベルとなる。したがってＳＤＦＦ１０６の出力も“Ｌ”レベルから“Ｈ”レベルに切り換わり、電圧検出回路Ａ１４の出力が“Ｈ”レベルとなる。そしてＲＤＦＦ１０７のΦ端子には立ち下がりの信号が入力されることになるのでその出力は“Ｈ”レベルとなり、インバータ１１０を介してアンドゲート１０８、１０９は遮断される。よってコンパレータ１０１等に電源が供給されなくなり、電圧検出回路Ａ１４の動作は停止する。なおＳＤＦＦ１０６の出力は“Ｈ”レベルを維持する。
【００２８】
以上説明したように本実施形態の電圧検出回路Ａ１４は初期リセット後から動作を開始し、一旦検出電圧を超えてから再び検出電圧を下回るまで動作を継続し、その後停止するため、不要な時は動作を停止することが出来、無駄な消費電力を省くことができる。
【００２９】
続いて電圧検出回路Ｂ１５について、図４を用いて説明する。図４は電圧検出回路Ｂ１５の回路ブロック図である。
図において図３と同一の構成には同一の番号を付して説明を省略する。図３との相違点はＳＤＦＦ１０６がＲＤＦＦ１１２に置き換わり、コンパレータ１０１の入力端子が図２と逆になっている点、及びＲＤＦＦ１０７のΦ端子に電圧検出回路Ａ１４の反転信号が入力される点のみである。また図４においては基準電圧作成回路１０２、抵抗素子１０３、１０４はコンパレータ１０１の出力が、Ｖｓｓ２の電圧が１．２５Ｖ以上になると“Ｈ”レベル、それ以下では“Ｌ”レベルを出力するように設定されている。
【００３０】
続いて電圧検出回路Ｂ１５の動作について説明する。まず初期リセット時から説明する。発振検出回路１２からのリセット信号を入力するとＲＤＦＦ１１２、ＲＤＦＦ１０７はリセットされ“Ｌ”レベルの信号を出力する。またパルス作成回路５からのサンプリング信号によりコンパレータ１０１、基準電圧回路１０２は間欠的に動作する。また同時にアンドゲート１０８にもパルス信号が入力され、コンパレータ１０１の比較結果をＲＤＦＦ１１２が電圧検出信号として出力する。
【００３１】
初期リセット直後はＶｓｓ２は１．２５Ｖ以下なので、コンパレータ１０１は“Ｌ”レベルの信号を出力している。よってＲＤＦＦ１１２の出力に変化はなく電圧検出回路Ｂ１５の出力及びその動作にも何ら変化はない。続いてＶｓｓ２の電圧が上昇して１．２５Ｖ以上になると、コンパレータ１０１の出力は“Ｈ”となりＲＤＦＦ１１２の出力も“Ｈ”レベルに切り換わる。つまり電圧検出回路Ｂ１５の出力が“Ｈ”レベルとなる。
【００３２】
次にＶｓｓ２が下降して１．２５Ｖになると、コンパレータ１０１の出力が“Ｌ”レベルに切り換わり、ＲＤＦＦ１１２の出力も“Ｌ”レベルとなる。さらにＶｓｓ２が低下して１．１５Ｖになると電圧検出回路Ａ１４から“Ｈ”レベルの信号が出力される。したがってＲＤＦＦ１０７は“Ｈ”レベルの信号を出力し、アンドゲート１０８、１０９は遮断され、電圧検出回路Ｂ１５は動作を停止する。電圧検出回路Ｂ１５が再び動作を開始するのは時計が停止し、発振検出回路１２からリセット信号が出力された後になる。
【００３３】
以上説明したように本実施形態の電圧検出回路Ｂ１５は初期リセット後から動作を開始し、一旦検出電圧を超えると停止するため、不要な時は動作を停止することが出来、無駄な消費電力を省くことができる。
【００３４】
以上本実施形態を説明したが、本発明は記載内容に限定されるものではない。例えば指針８は秒針を有するタイプでも本発明を実施することは可能である。また電圧検出回路Ａ１４、電圧検出回路Ｂ１５の検出電圧値、非回転計数カウンタ１０のカウンタ値も適宜変更可能である。
【００３５】
【発明の効果】
以上のように本発明では、蓄電手段の電圧を検出する電圧検出手段とモータの回転を検出する回転検出手段を設け、電圧検出手段または回転検出手段の少なくともどちらか一方の信号に基づき、発電手段と蓄電手段との接続を遮断するよう構成したことで、モータの回転の有無に基づきスリープ機能への移行が可能となったので、実質的な蓄電手段の電力状態に基づきシンプルかつ正確な制御が可能となった。
【図面の簡単な説明】
【図１】本発明の実施形態を示す電子時計の回路ブロック図である。
【図２】本実施形態の一動作例を示すタイムチャートである。
【図３】本実施形態の電圧検出回路Ａ１４を詳細に示す回路ブロック図である。
【図４】本実施形態の電圧検出回路Ｂ１５を詳細に示す回路ブロック図である。
【符号の説明】
１  発電手段
２  蓄電池
３  小容量コンデンサ
７  モータ
８  指針
９  回転検出回路
１３  スイッチ手段
１４  電圧検出回路Ａ
１５  電圧検出回路Ｂ
【図１】
0003816379.tif 000002
【図２】
0003816379.tif 000003
【図３】
0003816379.tif 000004
【図４】
0003816379.tif 000005